(57)【要約】      （修正有）【課題】可動柱の負担軽減及び可動柱の働きの確保を図る耐震構造物を提供する。【解決手段】家屋の躯体となる壁の骨組みで、土台１と、梁、桁２０１、又は胴縁２０２、及び柱２と、柱の代替となる可動柱３と、を備えた耐震構造物で、柱に固定された受け金具４と、受け金具に差込まれる胴縁間、又は桁間に支持される可動柱と、柱と可動柱の間に取付けた連結金具６を備え、可動柱は、土台と、梁、桁、又は胴縁の何れかとの間に固定した構成とし、柱の倒壊時に、可動柱は、受け金具内を移動し、移動時において、支持手段により、移動箇所で支持され、倒壊した柱の代替柱となる耐震構造物である。【選択図】図１
0003226986.tif 000002
【実用新案登録請求の範囲】
【請求項１】
家屋の躯体となる壁の骨組みで、少なくとも、土台と、梁、桁、又は胴縁の何れかとの間に固定した柱と、この柱に固定される受け金具と、この受け金具に差込まれる、前記土台と、前記梁、前記桁、又は前記胴縁の何れかとの間に支持される可動柱と、この可動柱と前記柱の間に取付けた連結金具と、
を備えた耐震構造物であって、
前記可動柱と前記柱の間に、支持手段を備え、この支持手段で、前記受け金具内を移動した箇所で、この可動柱と前記柱を支持可能とし、
また、前記連結金具は、前記柱と前記可動柱の固定、又は固定解除を可能とし、
この可動柱は、前記柱の倒壊時に、前記柱の代替柱となることを特徴とする耐震構造物。
【請求項２】
前記受け金具は、前記柱の、少なくとも、上下部に配置した第１・第２受け金具であり、この第１・第２受け金具内に差込まれる前記可動柱は、前記柱と同じ長さを有する構成とした請求項１に記載の耐震構造物。
【請求項３】
前記連結金具は、針金であり、複数本とするとともに、長短構造、及び／又は、抗力強弱構造であって、
前記長短構造は、複数本の前記針金のうち、上に位置するものから下に向かって、順次、長く、前記抗力強弱構造は、複数本の前記針金のうち、上に位置するものから下に向かって、順次、大と、なる構成とした請求項１、又は請求項２に記載の耐震構造物。
【請求項４】
前記支持手段は、ラチェット構造、楔、又はスプリング、の何れかである構成とした請求項１〜請求項３の何れか一項に記載の耐震構造物。
【請求項５】
前記壁の骨組みとなる前記柱と前記胴縁、又は前記桁には、筋交いを配備する構成とした請求項１〜請求項４の何れか一項に記載の耐震構造物。
【請求項６】
前記針金は、地震発生時に、上に位置するものから下に向かって、順次、切断することで、この地震発生時の震動に対応可能とする構成とした請求項３に記載の耐震構造物。
【請求項７】
前記柱の上下端は、前記土台と、前記梁、前記桁、又は前記胴縁の何れかとの間に固定し、前記可動柱の上端は、前記梁、前記桁、又は前記胴縁の何れかに固定する構成とした請求項１〜請求項６の何れか一項に記載の耐震構造物。
【請求項８】
前記受け金具は、ステンレス、プラスチックの軽量素材で形成する構成とした請求項１〜請求項７の何れか一項に記載の耐震構造物。
【考案の詳細な説明】
【技術分野】
【０００１】
本考案は、木造構造物の耐震構造物に関する。
【背景技術】
【０００２】
木造構造物の耐震構造物に関しては、本出願人が提案する特許第６３２９５８０号の「耐震構造物」がある。この発明は、「家屋の躯体となる壁の骨組みの柱と、土台と、桁、又は胴縁とに取付けられる柱と、壁の骨組みに設けられる伸縮するスプリングを備えた補助柱でなる耐震構造物であって、
耐震構造物の補助柱は、何れかの柱に固定される鞘管と、鞘管内に差込まれる胴縁間、又は桁間に支持される差込み柱を備える」構成である。
【０００３】
即ち、差込み柱は、鞘管を軸として、可動することで、柱の倒壊時に、代替柱としての役割を担うことを特徴とする。
【先行技術文献】
【特許文献】
【０００４】
【特許文献１】特許第６３２９５８０号公報
【考案の概要】
【考案が解決しようとする課題】
【０００５】
特許文献１の発明では、鞘管に負担が掛かることが考えられる。そこて、本考案は、この負担軽減、及び／又は、可動柱（文献の差込み柱）の働きの確保を図ることを意図する。
【課題を解決するための手段】
【０００６】
即ち、本考案は、前記負担軽減、及び／又は、可動柱の働きの確保を図ることを意図し、請求項１〜請求項８を提案する。
【考案の効果】
【０００７】
請求項１の考案は、
家屋の躯体となる壁の骨組みで、少なくとも、土台と、梁、桁、又は胴縁の何れかとの間に固定した柱と、柱に固定される受け金具と、受け金具に差込まれる、土台と、梁、桁、又は胴縁の何れかとの間に支持される可動柱と、可動柱と柱の間に取付けた連結金具と、
を備えた耐震構造物であって、
可動柱と柱の間に、支持手段を備え、支持手段で、受け金具内を移動した箇所で、この可動柱と柱を支持可能とし、
また、連結金具は、柱と可動柱の固定、又は固定解除を可能とし、
可動柱は、柱の倒壊時に、柱の代替柱となることを特徴とする耐震構造物である。
【０００８】
従って、請求項１では、可動柱の負担軽減、及び／又は、この可動柱の働きの確保を図る特徴がある。
【０００９】
請求項２の考案では、
受け金具は、柱の、少なくとも、上下部に配置した第１・第２受け金具であり、第１・第２受け金具内に差込まれる可動柱は、柱と同じ長さを有する構成とした耐震構造物である。
【００１０】
これにより、請求項２は、請求項１の目的達成と、この目的達成に有効な受け金具を提供する。
【００１１】
請求項３の考案では、
連結金具は、針金であり、複数本とするとともに、長短構造、及び／又は、抗力強弱構造であって、
長短構造は、複数本の針金のうち、上に位置するものから下に向かって、順次、長く、抗力強弱構造は、複数本の針金のうち、上に位置するものから下に向かって、順次、大と、なる構成とした耐震構造物である。
【００１２】
これにより、請求項３は、請求項１の目的達成と、この目的達成に有効な連結金具を提供する。
【００１３】
請求項４の考案では、
支持手段は、ラチェット構造、楔、又はスプリング、の何れかである構成とした耐震構造物である。
【００１４】
これにより、請求項４は、請求項１の目的達成と、この目的達成に有効な支持手段を提供する。
【００１５】
請求項５の考案では、
壁の骨組みとなる柱と胴縁、又は骨組みとなる桁には、筋交いを配備する構成とした耐震構造物である。
【００１６】
これにより、請求項５は、請求項１の目的達成と、この目的達成に有効な壁の骨組みを提供する。
【００１７】
請求項６の考案は、
針金は、地震発生時に、上に位置するものから下に向かって、順次、切断することで、地震発生時の震動に対応可能とする構成とした耐震構造物である。
【００１８】
これにより、請求項６は、請求項１の目的達成と、この目的達成に有効な針金を提供する。
【００１９】
請求項７の考案は、
柱の上下端は、土台と、梁、桁、又は胴縁の何れかとの間に固定し、可動柱の上端は、梁、桁、又は胴縁の何れかに固定する構成とした耐震構造物である。
【００２０】
これにより、請求項７は、請求項１の目的達成と、この目的達成に有効な柱の取付け構造を提供する。
【００２１】
請求項８の考案は、
受け金具は、ステンレス、プラスチックの軽量素材で形成する構成とした耐震構造物である。
【００２２】
これにより、請求項８は、請求項１の目的達成と、この目的達成に有効な受け金具の素材を提供できる。
【図面の簡単な説明】
【００２３】
【図１】壁用の第１実施例の可動柱を備えた家屋の要部の一部欠截の縮尺模式図である。
【図２】壁用の第１実施例の可動柱を示した全体の斜視図である。
【図３−１】壁用の第１実施例の可動柱の一例の一部を示した要部の斜視図であり、通常の状態を示している。
【図３−２】壁用の第１実施例の可動柱の一例の一部を示した要部の斜視図であり、通常の状態より、可動柱が持ち上がった（伸張した）状態を示している。
【図４】壁用の第１実施例の可動柱の横断面図である。
【図５】壁用の他の可動柱の横断面図である。
【図６−１】壁用の第１実施例の可動柱の一例を示した要部の斜視図であり、通常の状態を示している。（スプリング付き、エアーダンパー）
【図６−２】壁用の第１実施例の可動柱の一例を示した要部の斜視図であり、通常の状態より、可動柱が持ち上がった状態を示している。
【図７】第２実施例の可動柱を示した模式図である。
【考案を実施するための形態】
【００２４】
以下、本考案の一実施例に関する構成を順に説明するが、好ましい、一例であり、この説明とか図面に限定されず、本考案の考えと、概念が符合するものは、本考案の範疇である。
【００２５】
第１実施例では、基礎に設けた土台１には多数本の柱２、２、２〜ｎ（２とする）には、隣接するようにして、一本、又は数本の可動柱３、３、３〜ｎ（３とする）を立設する。可動柱３は、各柱２にそれぞれ設けるのが理想である。しかし、可動柱３の本数は、費用面とか、施工の容易化、耐震面等の要望、及び／又は家屋の状況等により、適宜、決定されるものとする。
【００２６】
この可動柱３は、柱２の長手方向の一面（一方）に、その一端を固定した一枚、又は複数枚の受け金具４、４、４〜ｎ（４とする）により、柱２と併設するように支持されている。この受け金具４は、ステンレス、その他の鋼材、又はプラスチック、木材等であり、軽量素材、防腐素材が望ましい。柱２には一個〜複数個の受け金具４が設けられており、この受け金具４により、柱２に可動柱３が支持されるとともに、正常時には、可動柱３は柱２に支持され、かつ両者は一体である。受け金具４は、この一例では、柱２の上側２ａと中間２ｂに設け、可動柱３を安定して支持し、かつ後述する連結金具７を設置する設置箇所を確保する。
【００２７】
この可動柱３の上側３ａは、梁２００、桁２０１、又は胴縁１０２に止め金具５で固止されている。但し、下側３ｃは、土台１、又は桁２０１に載架されている。従って、柱２の上側２ａから梁２００が外れた際に、及び、梁２００が損壊した際には、この梁２００に固定した可動柱３が、この梁２００に追従し、可動柱３が柱２の代替柱として機能し、建物が倒壊とか、損傷することがない。このような状態を確保できるのは、受け金具４内を可動柱３が自由に移動できる構造となっているためである（図６−２参照）。
【００２８】
尚、柱２と可動柱３は、図示の如く、連結金具６、６、６〜ｎ（６とする、針金）で繋がっており、この一例では、柱２の中間２ｂから下側２ｃと、可動柱３の中間３ｂから下側３ｃとの間に、長短構造（切断可）であって、短々６ａ、短６ｂ、中６ｃ、長６ｄとする。また、抗力構造（抗力強弱）の場合は、弱々６ａ１、弱６ｂ２、中６ｃ３、強６ｄ４とする。その目的は、地震時の初期態様として、初期は、初期微動であり、順次、振動が増幅することから、前述の如く、長短構造の場合は、短々６ａ、短６ｂ、中６ｃ、長６ｄ、抗力構造の場合は、弱々６ａ１、弱６ｂ２、中６ｃ３、強６ｄ４であって、順に、切断とか、抗力とかが働く構造とし、地震に対応し、かつ可動柱３の可動を確保する。また、柱２の損傷とか、崩壊等に対して有効性がある。そして、可動柱３が移動（可動）した位置で、一時的に停止するために、スプリング付きエアーダンパーとか、ラチェット機構、シリンダー、支持爪等による固定手段を設けることが望ましく、更に、必要により、スプリング、エアーダンパーによる移動補助を設けることもよい。
【００２９】
前述の如く、切断とか、抗力とかが働く構造とすることで、可動柱３のスムースな動きと、過度な動きを無くし、併せて、人への衝撃緩和と、避難時の安全性の確保が期待できる。
【００３０】
殊に、可動柱３は、受け金具４で移動方向が決められており、盲動することなく、安心安全である。可動柱３は、梁２００とか、桁２０１等の損壊等に追従して動くが、その都度、受け金具４をガイドとして、スムースかつ確実に動き、柱２を補助する。そして、例えば、桁２０１が、柱２より外れ、持ち上がった状態を仮定すると、可動柱３が桁２０１と共に持ち上がり、柱２の役割を担う。これにより、建屋の損壊、及び／又は、倒壊、又は人的被害の減少、又は皆無とする。
【００３１】
尚、受け金具４の形態は、可動柱３の形態に準ずる。また両者の嵌合状態も限定されない。
【００３２】
図中１０は筋交いを示す。また、図５には、柱２と可動柱３の間に設けたラチェット構造、楔、又はスプリングの何れかでなる支持手段１１が示されており、この支持手段１１で、可動柱３を移動位置で支持するための一例である。
【００３３】
図７に示した第２実施例の可動柱３は、土台１と桁２０１の内外に設けた、例えば、ベニヤ板で壁２０を構築し、この壁２０間に柱２と可動柱３を設ける構造である。そして、この可動柱３の上端を、桁２０１に止め金具２１を設ける。従って、柱２と止め金具２２が、例えば、上に持ち上がった際には、可動柱３の下端が土台１より離間し、柱２と可動柱３とで、本来の柱としての役割を担い、建物の倒壊を回避できる。その他の柱２と可動柱３の関係とか、受け金具４、連結金具７等との関係は、前述の第１実施例に準ずる。図中２２は垂木を示す。
【００３４】
以上で説明した実施例の一例は、好ましい各例を示したものであり、同様な効果と特徴を有する他の構造、手段は、本考案の範疇である。
【符号の説明】
【００３５】
１  土台
２  柱
２ａ  上側
２ｂ  中間
２ｃ  下側
２００  梁
２０１  桁
２０２  胴縁
３  可動柱
３ａ  上側
３ｂ  中間
３ｃ  下側
４  受け金具
５  止め金具
６  連結金具
６ａ  短々
６ａ１  弱々
６ｂ  短
６ｂ２  弱
６ｃ  中
６ｃ３  中
６ｄ  長
６ｄ４  強
１０  筋交い
１１  支持手段
２０  壁
２１  止め金具
２２  垂木
【図１】
0003226986.tif 000003
【図２】
0003226986.tif 000004
【図３−１】
0003226986.tif 000005
【図３−２】
0003226986.tif 000006
【図４】
0003226986.tif 000007
【図５】
0003226986.tif 000008
【図６−１】
0003226986.tif 000009
【図６−２】
0003226986.tif 000010
【図７】
0003226986.tif 000011